【手続補正書】
【提出日】平成16年5月27日(2004.5.27)
【手続補正１】
【補正対象書類名】特許請求の範囲
【補正対象項目名】全文
【補正方法】変更
【補正の内容】
【特許請求の範囲】
【請求項１】
安全皮下注射針アセンブリであって、
開口した近位端および遠位端を有する針バブであって、前記開口近位端が注射器先端部係合チャンバを規定している、針ハブ、
長手方向軸を規定し、かつ近位端および遠位端を有する針であって、前記遠位端は尖鋭な針先端部であり、前記近位端は前記針ハブに備え付けられており、ここにおいて、前記針が前記針ハブの前記遠位端から出ているように、前記針ハブが構成されている、針、
前記針ハブの前記開口遠位端に配され、作動されたときには前記針先端部をブロックするようデザインされている、針先端部ブロック手段、
前記針先端部をブロックするため前記針先端部ブロック手段を作動させるように前記注射器先端部係合チャンバ内において作動可能である、前記針ハブ内の、針ガード作動手段、を有する安全皮下注射針アセンブリ。
【請求項２】
前記針ガード作動手段が、
摩擦のある圧力嵌合、または、壊れやすいシールのいずれかにより前記針ハブに可動的に取り付けられた圧力トリガ、および、
前記針ハブの解放可能な係合手段および／または圧力嵌合によって保持されている前記針先端部ブロック手段をバイアスしている弾性部材、
を含んでいることを特徴とする、請求項１に記載の安全皮下注射針アセンブリ。
【請求項３】
前記圧力トリガが前記注射器先端部係合チャンバの前記遠位端と前記針の前記近位端との間の流体用ダクトを形成するようにデザインされ、構成されていることを特徴とする請求項２に記載の安全皮下注射針アセンブリ。
【請求項４】
前記針が前記摺動可能な圧力トリガ内に固定的に備え付けられていることを特徴とする請求項２または３に記載の安全皮下注射針アセンブリ。
【請求項５】
前記針が前記摺動可能圧力トリガに対して静止的に保持されるように、前記針が前記針ハブ内に固定的に備え付けられていることを特徴とする請求項２または３に記載の安全皮下注射針アセンブリ。
【請求項６】
前記針ハブが近位圧力トリガストップを有し、それによって前記圧力トリガが前記近位圧力トリガストップを過ぎて近位方向へ移動することを抑止していることを特徴とする請求項２ないし５のいずれか１つに記載の安全皮下注射針アセンブリ。
【請求項７】
前記針ハブが前記針ハブ内に配された遠位圧力トリガストップを有し、前記圧力トリガが前記ストップを過ぎて遠位方向へ移動することを抑止するように、前記圧力トリガと係合することを特徴とする請求項２ないし６のいずれか１つに記載の安全皮下注射針アセンブリ。
【請求項８】
前記圧力トリガが前記針ハブ内の通路内に配されていることを特徴とする請求項２ないし７のいずれか１つに記載の安全皮下注射針アセンブリ。
【請求項９】
前記圧力嵌合が前記針先端部ブロック手段の前記近位端に位置し、前記針の周りに備え付けられていることを特徴とする請求項１ないし８のいずれか１つに記載の安全皮下注射針アセンブリ。
【請求項１０】
前記圧力嵌合が遠位方向に延びた円筒部を有することを特徴とする請求項９に記載の安全皮下注射針アセンブリ。
【請求項１１】
前記円筒部が、前記遠位端のドーム、および、前記ドームに配された開口部、を有することを特徴とする請求項１０に記載の安全皮下注射針アセンブリ。
【請求項１２】
前記圧力嵌合が近位方向に延びているアームを有することを特徴とする請求項１ないし１１のいずれか１つに記載の安全皮下注射針アセンブリ。
【請求項１３】
前記圧力嵌合がその近位端に、前記針ハブの雄デテントに係合するためのフックを有し、前記圧力嵌合を解放するため、前記圧力トリガによって該フックが半径方向に広げられることができることを特徴とする請求項１ないし１２のいずれか１つに記載の安全皮下注射針アセンブリ。
【請求項１４】
前記圧力トリガが前記針ハブの内側を遠位方向へ移動すると、前記圧力トリガの円筒部分が、第１内側隆起および第２内側隆起と相互作用し、前記２つの内側隆起を半径方向外側へ移動させ、ここにおいて、前記２つの内側隆起の前記半径方向への移動によって、２つの外側隆起が前記２つの伸張されたアームを半径方向外側に移動させ、前記２つのフックを前記２つの雄デテントから解放し、よって、前記弾性部材が遠位方向に伸張するように解放されることを特徴とする請求項１３に記載の安全皮下注射針アセンブリ。
【請求項１５】
前記針先端部ブロック手段が、弾性的に内側にバイアスされた少なくとも２つの対向する伸張されたアームを有するバネクリップを含んでおり、ここにおいて前記アームは、前記クリップが針先端部ブロック位置において係合されると前記針先端部をブロックするように構成されていることを特徴とする請求項１ないし１４のいずれか１つに記載の安全皮下注射針アセンブリ。
【請求項１６】
前記圧力嵌合をバイアスしている前記弾性部材がバネであることを特徴とする請求項１ないし１５のいずれか１つに記載の安全皮下注射針アセンブリ。
【請求項１７】
針ストップが、前記針の皺形状として前記針の前記遠位端近傍に与えられていることを特徴とする請求項１ないし１６のいずれか１つに記載の安全皮下注射針アセンブリ。
【請求項１８】
前記針ハブが、前記近位端にルア嵌合を有することを特徴とする請求項１ないし１７のいずれか１つに記載の安全皮下注射針アセンブリ。
【請求項１９】
前記圧力トリガが、前記針ハブの前記開口遠位端の溝部に保持されている前記バネクリップに接している少なくとも１つの遠位押出アームを有し、ここにおいて前記バネが前記バネクリップを直接的にバイアスしていることを特徴とする請求項１５または１６に記載の安全皮下注射針アセンブリ。
【請求項２０】
注射器が前記注射器先端部係合チャンバ内に挿入され、その注射器が、前記圧力トリガを押すために前記注射器の前記プランジャーによって進められることが可能な延長ピンを有することを特徴とする請求項１ないし１９のいずれか１つに記載の安全皮下注射針アセンブリ。
【請求項２１】
２つの別個の推進機構を有する、流体を注射するための注射器であって、
近位端および遠位端を有し、前記遠位端に注射器先端部が配され、閉口端が流体を通すためのボアを有する、注射外筒と、
近位端および遠位端を有し、延長ピンが前記遠位端から延び、プランジャー先端部が前記遠位端に配されて前記遠位端を通るプランジャーと、を含んでおり、
ここで、前記プランジャーが、第１位置から、第１の遠位方向への力の付加により前記プランジャー先端部が前記注射外筒の前記閉口端と接触する第２位置へ移動するように構成され、また、
前記プランジャーが、前記第１の遠位方向への力よりも大きな第２の遠位方向への力の付加により、前記プランジャー先端部に関して第３位置へ移動するように構成されていることを特徴とする、注射器。
【請求項２２】
前記注射器先端部が、内部キャビティ、前記延長ピンが通るためのボアを有するドーム形状閉口端、および、前記内部キャビティに形成された環、を有し、前記環が少なくともトリガギャップ間隔だけ前記ドーム形状閉口端と間隔を隔て、かつ、前記プランジャーが、前記環と係合するための溝部を有することを特徴とする、請求項２１に記載の注射器。
【請求項２３】
前記注射器先端部がさらに近位端面を有し、近位方向に延びた湾曲可能脚部が前記近位端面から延び、かつ、前記プランジャーが前記近位方向に延びた湾曲可能脚部を押すように構成されていることを特徴とする請求項２１または２２に記載の注射器。
【請求項２４】
さらに、前記注射器先端部の前記近位端または前記遠位端のどちらかに配された少なくとも１つの膨張溝部を有し、ここで、前記膨張溝部は、前記プランジャーが前記第３位置に移動した場合につぶれるように構成されていることを特徴とする請求項２２に記載の注射器。
【請求項２５】
前記注射器先端部が、近位端、遠位端、および、環状空間を有し、前記環状空間は前記近位端から前記遠位端に向かって先細になっており、前記遠位端は前記延長ピンを通すことが可能であるボアを有し、前記環状空間はさらに前記プランジャーの一部分を受承するための溝部を有していることを特徴とする請求項２１に記載の注射器。